(57)【要約】【課題】配管や電気配線等のための床貫通孔に対応した開口を容易かつ安全に設けることができるデッキプレートを提供する。【解決手段】デッキプレート１０は、平板状の主板部１１と、主板部１１の左右側端から下方に延設された側板部１２，１３とを有している。主板部１１の前寄りの部分には、複数のスリット２１が長方形をなすかたちで断続的に形成され、これらスリット２１の外側が開口２０の内縁となり、囲まれた部分が要除去部２２となり、隣接するスリット２１の間が連結部２３となる。スリット２１は、製造工場でレーザー加工されたごく細幅のものであり、その一端側に切断工具の刃を進入させるための拡幅部２１ａが所定の長さで設けられている。【選択図】図２
0003204275.tif 000002
【実用新案登録請求の範囲】
【請求項１】
床貫通孔を有するコンクリートスラブに採用され、当該床貫通孔に対応する位置に開口が設けられるデッキプレートであって、
前記開口の内縁に沿って断続的に設けられ、当該開口の内縁と要除去部とを分離する複数のスリットと、
隣接するスリットの間にそれぞれ設けられ、前記開口の内縁と前記要除去部とを連結する連結部とを備えるデッキプレート。
【請求項２】
前記スリットの端部には、切断工具の刃を進入させるべく、拡幅部が設けられる、請求項１に記載のデッキプレート。
【請求項３】
前記スリットは、レーザー加工等によって形成される、請求項１または請求項２に記載のデッキプレート。
【考案の詳細な説明】
【技術分野】
【０００１】
本考案は、鉄骨構造建築物のコンクリートスラブを形成するためのデッキプレートに係り、配管や電気配線のための床貫通孔に対応した開口を設けるための技術に関する。
【背景技術】
【０００２】
デッキプレートを用いたコンクリートスラブに床貫通孔を形成する場合、デッキプレートの上面に筒状のスリーブをボルトや溶接等によって固定し、コンクリートを打設した後に、バーナやアーク切断機等の溶断工具（あるいは、回転カッタやレシプロソー等の切断工具）を用いてスリーブと連通する開口をデッキプレートに設けている（特許文献１，２参照）。
【先行技術文献】
【特許文献】
【０００３】
【特許文献１】特開２００１−８１９６３号公報
【特許文献２】特開２０１２−１６７４４３号公報
【考案の概要】
【考案が解決しようとする課題】
【０００４】
デッキプレートに開口を設ける作業は、作業がやりにくいだけでなく、安全を図る上でも問題があった。
例えば、デッキプレートの上から開口を設ける場合、作業者がスリーブ内に差し込んだ溶断工具等を無理な姿勢で操作しなければならない他、デッキプレートの下方で脚立に乗った別の作業者が金盥様のもので大量の溶融滓や切削粉を受け止める必要があった。
この作業は、設ける開口が大きい場合には比較的長時間かかり、作業者に大きな負担を強いるとともに、脚立からの転落する等の危険もあった。考案者等は、現場で開口を設ける作業を不要とすべく、製造工場でデッキプレートに予め開口を設けておくことも考えた。
しかし、この場合、作業者がデッキプレートに開口が存在していないと誤認し、開口から下のフロアに工具等を落下させたり、開口が大きい場合には作業者自身が下のフロアに落ちる虞もあった。
【０００５】
本考案は、上記問題点に鑑みなされたものであり、配管や電気配線等のための床貫通孔に対応した開口を容易かつ安全に設けることができるデッキプレートを提供することを目的とする。
【課題を解決するための手段】
【０００６】
本考案に係るデッキプレートは、床貫通孔を有するコンクリートスラブに採用され、当該床貫通孔に対応する位置に開口が設けられるデッキプレートであって、前記開口の内縁に沿って断続的に設けられ、当該開口の内縁と要除去部とを分離する複数のスリットと、隣接するスリットの間にそれぞれ設けられ、前記開口の内縁と前記要除去部とを連結する連結部とを備える。
【０００７】
好適には、前記スリットの端部には、切断工具の刃を進入させるべく、拡幅部が設けられる。
【０００８】
好適には、前記スリットは、レーザー加工等によって形成される。
【考案の効果】
【０００９】
本考案によれば、コンクリートを打設した後、連結部を切断工具によって切断するだけで、要除去部を簡単に除去できる。
【図面の簡単な説明】
【００１０】
【図１】実施形態に係るデッキプレートの斜視図である。
【図２】実施形態に係るデッキプレートの三面図である。
【図３】デッキプレートに対するスリーブの接合工程を示す図である。
【図４】デッキプレートの鉄骨への設置およびコンクリートの打設状態を示す図である。
【図５】デッキプレートから要除去部を除去する工程を示す図である。
【図６】実施形態の変形例を示す平面図である。
【考案を実施するための形態】
【００１１】
以下、本考案の一実施形態を、図１〜図５を用いて詳細に説明する。なお、デッキプレートの説明にあたっては便宜上、図２において、図中右上方を前、図中左上方を左、上方を上とする。
【００１２】
＜実施形態の構成＞
図１は実施形態に係るデッキプレートの斜視図である。
図２は実施形態に係るデッキプレートの三面図である。
【００１３】
デッキプレート１０は、図１，図２に示すように、高耐蝕性の鋼板を折り曲げ加工してなるフラットデッキ型であり、平板状の主板部１１と、主板部１１の左右側端から下方に延設された側板部１２，１３とを有している。側板部１２，１３は、主板部１１より長さが短く設定されており、主板部１１の前後端１１ａ，１１ｂが側板部１２，１３からオーバハングするかたちとなっている。また、側板部１２，１３の下端には、剛性を高めるべく、内向きのフランジ１２ａ，１３ａが設けられている。
【００１４】
主板部１１の前寄りの部分には、複数（図示例では、２０）のスリット２１が長方形をなすかたちで断続的に形成され、これらスリット２１の外側が開口２０の内縁となり、囲まれた部分が要除去部２２となり、隣接するスリット２１の間が連結部２３となる。
スリット２１は、製造工場でレーザー加工されたごく細幅のものであり、その一端側に切断工具の刃（後述）を進入させるための拡幅部２１ａが所定の長さで設けられている。
連結部２３は、要除去部２２に誤って乗ったような場合においても、作業者の体重を十分に支えることができる長手方向寸法を有している。
【００１５】
＜実施形態の作用＞
図３は、デッキプレートに対するスリーブの接合工程を示す図である。
図４は、デッキプレートの鉄骨への設置およびコンクリートの打設状態を示す図である。
図５は、デッキプレートから要除去部を除去する工程を示す図である。
【００１６】
作業者は、図３（ａ），（ｂ）に示すように、工場から搬入されたデッキプレート１０に対し、角筒状のスリーブ３０をスリット２１を囲むようにあてがって溶接やねじ等によって固着する。なお、デッキプレート１０には、スリーブ３０の位置決めを行いやすくすべく、スリット２１の外方にずれ止め突起等を設けておいてもよい。
【００１７】
作業者は、図４（ａ）に示すように、他のデッキプレート４０とともに、スリーブ３０が固着されたデッキプレート１０を鉄骨４１（図ではＨ形鋼）に設置し、側板部１２，１３を鉄骨４１の上面に溶接やねじ等によって固着する。作業者は次に、図４（ｂ）に示すように、デッキプレート１０，４０の上に鉄筋４３を設置してコンクリート４２を打設し、必要な期間の養生を行ってコンクリートスラブ５０を形成する。
【００１８】
作業者は、コンクリート４２の硬化を確認した後、スリーブ３０内でレシプロソー等の切断工具を操作して、図５に示すように、拡幅部２１ａに切断刃４５を差し込んで連結部２３を切断する。これにより、要除去部２２が開口２０の内縁から分離するため、作業者は、連結部２３をいくつか切断した時点で、要除去部２２を上方に捲り上げながら残った連結部２３を切断してゆく。作業者は、最後の連結部２３を切断した後、要除去部２２を上方に持ち上げて取り外す。これにより、デッキプレート１０の主板部１１には、スリーブ３０と連通する開口２０が現れ、コンクリートスラブ５０に長方形の床貫通孔５１（図３（ａ）参照）が完成する。
【００１９】
なお、長方形断面の床貫通孔５１は、配線類（電線、電話線、ＬＡＮケーブル等）や小径管（ガス管、水道管等）をフロア間で通過させる場合に採用されることが多く、後述する円形断面の床貫通孔は大径管（排水管、空調ダクト等）をフロア間で通過させる場合に採用されることが多い。
【００２０】
本実施形態では、このような構成を採ったことにより、デッキプレート１０の開口２０を短時間で形成することが可能となるだけでなく、下のフロアに落下する切削粉の量もごく少量とすることができる。
【００２１】
以上で具体的な実施形態の説明を終えるが、本考案の態様はこれらに限られるものではない。例えば、上記実施形態ではデッキプレートに長方形の開口を設けたが、円形断面の床貫通孔を設けるべく、図６に示すように、デッキプレート１０に円形の開口２０を設けるものであってもよい。その他、スリットの具体的形状や数等についても、本考案の趣旨を逸脱しない範囲で適宜変更可能である。
【産業上の利用可能性】
【００２２】
本考案に係るデッキプレートは、床貫通孔を有するコンクリートスラブの施工に効果的に利用できる。
【符号の説明】
【００２３】
１０    デッキプレート
１１    主板部
１２，１３    側板部
２０    開口
２１    スリット
２１ａ  拡幅部
２２    要除去部
２３    連結部
３０    スリーブ
４２    コンクリート
４５    切断工具
４５ａ  切断刃
５０    コンクリートスラブ
５１    床貫通孔
【図１】
0003204275.tif 000003
【図２】
0003204275.tif 000004
【図３】
0003204275.tif 000005
【図４】
0003204275.tif 000006
【図５】
0003204275.tif 000007
【図６】
0003204275.tif 000008